(57)【要約】【課題】簡単な構造で、紙などのシートａを挟んだ状態で掲示板などにさらにシートｂを確実に固定することができるようにする。【解決手段】基板１に、挟持板２をその一端でもって回転軸３を介して起伏自在に取り付ける。基板１には磁石４を埋め込み、その磁石４により、基板１を掲示板などの磁性体Ｍに吸着可能とするとともに挟持板２を基板１に吸着可能とする。この挟持具は、シートａを介在して掲示板Ｍに吸着すれば、シートａが掲示板Ｍに固定される。この状態で、さらに、別のシートｂを挟む場合には、基板１と挟持板２の間にそのシートｂを挿入すれば、挟持板２の基板１への吸着により、そのシートｂも固定される。基板１の挟持板２に対する先端対向部は外側に広がるテーパ面１ａとして、挟持板２と基板１の間にシートａを挟む際、シートａがスムースに挿入できるようにするとよい。【選択図】　図４
2004050476.tif 000002
【特許請求の範囲】
【請求項１】
基板１に、挟持板２をその一端でもって回転軸６を介して起伏自在に取り付け、前記基板１に磁石３を埋め込み、その磁石３により、前記基板１を掲示板などの磁性体Ｍに吸着可能とするとともに前記挟持板２を基板１に吸着可能としたシートの挟持具。
【発明の詳細な説明】
【０００１】
【発明の属する技術分野】
この発明は、例えば、スティール製の掲示板等に、磁石の吸着力によりシート類を固定するシートの挟持具に関する。
【０００２】
【従来の技術】
この種の挟持具として、円盤状の挟持具本体内に磁石を埋め込み、その磁石の吸着力により、シートを介在して挟持具を掲示板などに固定し、その固定によりシートを掲示板に固定するものが一般的である。
【０００３】
この一般的な挟持具以外に、実開昭５３−５０２０号公報には、鋼板の両面に、柔軟な磁石片を沿わせ、その一端を鳩目で固定した構成のものが開示されている。このものは、その鋼板と両側の磁石片の間にそれぞれシートを挟むことができ、その状態で、掲示板にもシートを介在して吸着させることもできる。
【０００４】
また、特開昭６３−１３５２９９号公報には、磁石吸着の挟持具に係止片を起伏可能に設け、その係止片でもって挟持具との間にシートを挟むことが可能なものが開示されている。このものも、係止片と挟持具との間にシートを挟んだ状態で、掲示板にシートを介在して吸着させることもできる。
【０００５】
【発明が解決しようとする課題】
上記両挟持具は、共に、シートを挟んだ状態で掲示板にさらにシートを固定することができるが、前者は、２枚の磁石片を使用しているため、コスト的に高いものと成っている。また、磁石片は鳩目で鋼板に固定されているので、厚いシート又はその束を挟もうとすると、磁石片が鋼板に対して大きく開いて鋼板から遠ざかり、鋼板との間に作用する磁力が小さくなるとともに磁石片がシートに添いにくく十分な固着力が得られない。
【０００６】
後者は、係止片を挟持具本体に一体に形成し、係止片を連結部の塑性変形により挟持具本体に添わせた後、その連結部の弾性により、係止片をシートを介在して挟持具本体に圧接する。このため、その挟持力は弱く、さらに、繰り返しにより、前記連結部が疲労して十分な挟持力を得られなくなると共に破損する。
【０００７】
この発明は、上記の挟持具より簡単な構造で、シートを挟んだ状態で掲示板などにさらにシートを確実に固定することができるようにすることを課題とする。
【０００８】
【課題を解決するための手段】
上記課題を解決するために、この発明は、まず、１つの磁石により、挟持具本体を掲示板などに固定すると共に、係止片を挟持具本体にシートを介在して固定するようにしたのである。１つの磁石で両吸着作用を行えば、コストダウンとなる。
【０００９】
つぎに、この発明は、係止片を挟持具本体に回転軸を介して起伏自在に取り付けることとしたのである。回転軸を介した回動（回転）はスムースであるとともに、基板との間隙も任意に採り易い。
【００１０】
具体的には、挟持具本体となる基板に、係止片となる挟持板をその一端でもって回転軸を介して起伏自在に取り付け、前記基板に磁石を埋め込み、その磁石により、前記基板を掲示板などの磁性体に吸着可能とするとともに前記挟持板を基板に吸着可能としたのである。
【００１１】
【発明の実施の形態】
以下、図を参照してこの発明の実施の形態を説明する。その一実施形態を図１乃至図４に示し、図１は、実施形態の全体斜視図、図２は、その分解図、図３はその正面図、切断側面図、背面図、図４はその作用図であり、スティール製の掲示板Ｍに吸着させる基板１と、その基板１に取り付けられて、基板１との間でシートａを挟持する挟持板２とから成る。これらの基板　１および挟持板２はＡＢＳ樹脂などで形成した剛性のある樹脂平板から成る。
【００１２】
前記基板１の略中央に円形の磁石３が埋設され、その後側両端には軸受４が突出して設けられている。また、前記挟持板２の後側も軸受５となっており、この軸受５と基板１の軸受４に回転軸６を挿通することにより、基板１に対し、挟持板２が起伏自在に取り付けられる。挟持板２の略中央には四角状の鉄板７が埋め込まれており、この鉄板７が磁石３に吸着されることにより挟持板２が基板１に添う。このため、シートａを介在して挟持板２を基板１に吸着させれば、そのシートａを固定し得る。
【００１３】
この挟持具は、図４ａに示すように、紙などのシートａを介在して掲示板Ｍに吸着すれば、シートａが掲示板Ｍに固定される。この状態で、さらに、別のシートｂを挟む場合には、図４ｃ〜ｄに示すように、基板１と挟持板２の間にそのシートｂを挿入すれば、挟持板２の基板１への吸着によりそのシートｂも固定される。
【００１４】
なお、前記基板１の挟持板２の先端対向部は外側に広がるテーパ面１ａとして、挟持板２と基板１の間にシートａを挟む際、シートａがスムースに挿入できるようにするとよい。
【００１５】
図５及び図６には、他の実施形態を示し、この実施形態は、基板１に左右方向に長手の部材を用いたものであり、その両端及び中央に磁石３を設けている。この磁石３の数及び位置は吸着力を考慮して適宜に決定する。
【００１６】
この実施形態は、図７に示すように、掲示板Ｍに大きなシートａを固定する場合に有利である。この場合にも、図示のように、挟持板２でもって別のシートｂを固定し得る。また、図示のように、図１の挟持具を併用することができ、その挟持具にも別のシートｂを固定し得る。この使用形態を採れば、大きな掲示シートの掲示内容と、各挟持具のメモの内容を合わせた、さらに多くの情報を分別して掲示することができる。この実施形態は、図５に示すように、基板１の前縁に目盛１０を形成することができる。
【００１７】
上記各実施形態の鉄板７は挟持板２に埋設したが、図８に示すように、挟持板２に孔８を形成して、その孔８に圧入固定することもできる。このとき、図８鎖線及び図９に示すように、その周縁に適宜に爪７ａを設けて、圧入時、その爪７ａを孔８周縁に食い込ませると良い。
【００１８】
この発明の挟持具は、掲示板に限らず、各種の磁性体に固定することができ、例えば、家庭の冷蔵庫のスティール板部に、買い出しの内容等を書き留めたメモ類等を取り付けておくような使用もできる。
【００１９】
【発明の効果】
以上説明したように、この発明によれば、簡単な構造で、シートを挟んだ状態で掲示板などにさらにシートを確実に固定することができる。
【図面の簡単な説明】
【図１】一実施形態の斜視図
【図２】同実施形態の分解斜視図
【図３】ａは同実施形態の正面図、ｂは同切断右側面図、ｃは同背面図
【図４】同実施形態の作用図
【図５】他の実施形態の斜視図
【図６】ａは同実施形態の平面図、ｂは同正面図
【図７】各実施形態の作用図
【図８】他の実施形態を示し、ａは平面図、ｂは切断正面図
【図９】同実施形態の鉄板の正面図
【符号の説明】
１　基板
２　挟持板
３　磁石
４、５　軸受
６　回転軸
７　鉄板
【図１】
2004050476.tif 000003
【図２】
2004050476.tif 000004
【図３】
2004050476.tif 000005
【図４】
2004050476.tif 000006
【図５】
2004050476.tif 000007
【図６】
2004050476.tif 000008
【図７】
2004050476.tif 000009
【図８】
2004050476.tif 000010
【図９】
2004050476.tif 000011